(57)【特許請求の範囲】
【請求項１】
再生対象となる複数の記録媒体を格納する格納手段と、
前記格納手段に格納される何れかの記録媒体に記録されたデータを再生する再生手段と、
前記格納手段における記録媒体の格納位置に対応した記録モード或いは記録速度からなる記録条件を規定する情報を記憶する情報記憶手段と、
前記再生手段が再生しようとする記録媒体の前記格納手段における格納位置を判別する判別手段と、
前記判別手段により判別された格納位置に従って定まる記録条件を、前記情報記憶手段から取得する取得手段と、
前記取得手段により取得された記録条件に従って、前記再生手段により再生されたデータを記録対象となる記録媒体に記録する記録手段と、
を備えることを特徴とする記録再生装置。
【請求項２】
再生対象となる記録媒体に記録されたデータを再生する再生手段と、
記録対象となる複数の記録媒体を格納する格納手段と、
前記格納手段に格納される何れかの記録媒体に、データを記録する記録手段と、
前記格納手段における記録媒体の格納位置に対応した記録条件を規定する情報を記憶する情報記憶手段と、
前記記録手段が記録しようとする記録媒体の前記格納手段における格納位置を判別する判別手段と、
前記判別手段により判別された格納位置に従って定まる記録条件を、前記情報記憶手段から取得する取得手段と、
前記取得手段により取得された記録条件に従って前記記録手段を制御し、前記再生手段により再生されるデータを対象の記録媒体に記録させる制御手段と、
を備えることを特徴とする記録再生装置。
【請求項３】
前記再生手段は、記録媒体に記録された楽曲データを再生し、
前記情報記憶手段は、複数の記録モード或いは複数の記録速度からなる記録条件を規定する情報を記憶し、
前記記録手段は、前記再生手段により再生された楽曲データを対象の記録媒体に記録する、
ことを特徴とする請求項２に記載の記録再生装置。
【請求項４】
再生対象となる複数の記録媒体を格納する格納部から、何れかの記録媒体に記録された楽曲データを再生する再生ステップと、
前記再生ステップにて再生される記録媒体の格納部における格納位置を判別する判別ステップと、
前記判別ステップにて判別された格納位置に従って定まる記録モード或いは記録速度からなる記録条件を取得する取得ステップと、
前記取得ステップにて取得された記録条件に従って、前記再生ステップにて再生された楽曲データを記録対象となる記録媒体に記録する記録ステップと、
を備えることを特徴とする楽曲データ記録方法。
【請求項５】
再生対象となる記録媒体に記録された楽曲データを再生する再生ステップと、
記録対象となる複数の記録媒体を格納する格納部から、何れかの記録媒体に楽曲データを記録する記録ステップと、
前記記録ステップにて記録される記録媒体の格納部における格納位置を判別する判別ステップと、
前記判別ステップにて判別された格納位置に従って定まる記録条件を取得する取得ステップと、
前記取得ステップにて取得された記録条件に従って前記記録ステップを制御し、前記再生ステップにて再生される楽曲データを対象の記録媒体に記録させる制御ステップと、
を備えることを特徴とする楽曲データ記録方法。
【発明の詳細な説明】
【０００１】
【発明の属する技術分野】
この発明は、記録再生装置及び、楽曲データ記録方法に関する。
【０００２】
【従来の技術】
従来より、ＣＤ（コンパクトディスク）等を再生して得られる楽曲データ（音声信号）をＭＤ（ミニディスク）等に記録（録音）することのできる記録再生装置が知られている。このような記録再生装置は、例えば、ＣＤ再生機構と、ＭＤ記録（再生）機構とが一つの機器内に設けられ、ＣＤ再生機構にて再生される楽曲データの音質をほとんど劣化させることなくＭＤ記録機構にて所定のＭＤに記録することができる。また、ＭＤに記録した後に、楽曲データの曲順の入れ替え等の編集も容易であるため、広く利用されている。
【０００３】
最近では、ＡＴＲＡＣ３（Adaptive TRansform Acoustic Coding 3）等の高圧縮方式により数多くの楽曲データをＭＤ等に記録する技術が実用化されて来ている。例えば、ＭＤＬＰ（長時間記録モード）に対応するＭＤ記録機構を有する記録再生装置は、音楽ＣＤ５枚分もの楽曲データを１枚のＭＤに高圧縮して記録することができる。
一方、ＣＤ再生機構にて高速に再生（高速再生）した楽曲データを、ＭＤ記録機構にて高速に記録（高速録音）することのできる記録再生装置も知られている。このような記録再生装置は、記録に要する時間を短縮でき、同じ時間内により多くの楽曲を記録できる。
【０００４】
【発明が解決しようとする課題】
上述の長時間記録や高速記録に対応した従来の記録再生装置では、記録モードや記録速度等の記録条件を利用者が自由に設定することができる。
例えば、記録再生装置が、通常記録モード（ステレオ）、通常記録モード（モノラル）、長時間記録モード（ＬＰ２）及び、長時間記録モード（ＬＰ４）の記録モードに対応している場合に、利用者は、４つの内から何れかの記録モードを記録条件に設定して、記録動作を開始させる。
また、例えば、記録再生装置が、通常の記録速度、２倍速の記録速度、及び、４倍速の記録速度にて楽曲データを記録可能である場合に、利用者は、３つの内から何れかの記録速度を記録条件に設定して、記録動作を開始させる。
【０００５】
このように設定される記録条件は、毎回同じであるとは限らない。
例えば、利用者は、ドライブ時に聴くＭＤを作ろうとする場合、ＭＤにできるだけ多くの楽曲データを記録させるために、長時間記録モード（ＬＰ４）を記録条件に設定することとなる。また、自分の部屋でじっくり聴くＭＤを作ろうとする場合、ＭＤにできるだけ原音に忠実な楽曲データを記録させるために、通常記録モード（ステレオ）を記録条件に設定することとなる。
つまり、利用者は、目的等に応じて、記録再生装置に設定する記録条件を逐次変更する必要があった。
しかしながら、このような記録条件の設定変更は、一般に、複雑なキー操作等を数多く行わなければならないため、利用者にとって極めて煩雑であった。
【０００６】
この発明は、上記実状に鑑みてなされたもので、記録条件を容易に変更して楽曲データ等を記録することのできる記録再生装置及び、楽曲データ記録方法を提供することを目的とする。
【０００７】
【課題を解決するための手段】
上記目的を達成するため、本発明の第１の観点に係る記録再生装置は、
再生対象となる複数の記録媒体を格納する格納手段と、
前記格納手段に格納される何れかの記録媒体に記録されたデータを再生する再生手段と、
前記格納手段における記録媒体の格納位置に対応した記録モード或いは記録速度からなる記録条件を規定する情報を記憶する情報記憶手段と、
前記再生手段が再生しようとする記録媒体の前記格納手段における格納位置を判別する判別手段と、
前記判別手段により判別された格納位置に従って定まる記録条件を、前記情報記憶手段から取得する取得手段と、
前記取得手段により取得された記録条件に従って、前記再生手段により再生されたデータを記録対象となる記録媒体に記録する記録手段と、
を備えることを特徴とする。
【０００８】
上記目的を達成するため、本発明の第２の観点に係る記録再生装置は、
再生対象となる記録媒体に記録されたデータを再生する再生手段と、
記録対象となる複数の記録媒体を格納する格納手段と、
前記格納手段に格納される何れかの記録媒体に、データを記録する記録手段と、
前記格納手段における記録媒体の格納位置に対応した記録条件を規定する情報を記憶する情報記憶手段と、
前記記録手段が記録しようとする記録媒体の前記格納手段における格納位置を判別する判別手段と、
前記判別手段により判別された格納位置に従って定まる記録条件を、前記情報記憶手段から取得する取得手段と、
前記取得手段により取得された記録条件に従って前記記録手段を制御し、前記再生手段により再生されるデータを対象の記録媒体に記録させる制御手段と、
を備えることを特徴とする。
【０００９】
前記再生手段は、記録媒体に記録された楽曲データを再生し、
前記情報記憶手段は、複数の記録モード或いは複数の記録速度からなる記録条件を規定する情報を記憶し、
前記記録手段は、前記再生手段により再生された楽曲データを対象の記録媒体に記録してもよい。
【００１０】
上記目的を達成するため、本発明の第３の観点に係る楽曲データ記録方法は、
再生対象となる複数の記録媒体を格納する格納部から、何れかの記録媒体に記録された楽曲データを再生する再生ステップと、
前記再生ステップにて再生される記録媒体の格納部における格納位置を判別する判別ステップと、
前記判別ステップにて判別された格納位置に従って定まる記録モード或いは記録速度からなる記録条件を取得する取得ステップと、
前記取得ステップにて取得された記録条件に従って、前記再生ステップにて再生された楽曲データを記録対象となる記録媒体に記録する記録ステップと、
を備えることを特徴とする。
【００１１】
上記目的を達成するため、本発明の第４の観点に係る楽曲データ記録方法は、再生対象となる記録媒体に記録された楽曲データを再生する再生ステップと、記録対象となる複数の記録媒体を格納する格納部から、何れかの記録媒体に楽曲データを記録する記録ステップと、
前記記録ステップにて記録される記録媒体の格納部における格納位置を判別する判別ステップと、
前記判別ステップにて判別された格納位置に従って定まる記録条件を取得する取得ステップと、
前記取得ステップにて取得された記録条件に従って前記記録ステップを制御し、前記再生ステップにて再生される楽曲データを対象の記録媒体に記録させる制御ステップと、
を備えることを特徴とする。
【００１２】
【発明の実施の形態】
本発明の実施の形態にかかる記録再生装置について、以下図面を参照して説明する。
【００１３】
図１は、この発明の実施の形態に適用される記録再生装置の一例を示すブロック図である。図示するように、この記録再生装置１は、ＣＤ（コンパクトディスク）２に記録された楽曲データを再生し、再生した楽曲データを所定の記録モードでＭＤ（ミニディスク）３に録音するオーディオ機器であり、ＣＤ用駆動ユニット１１と、ＣＤ用ＤＳＰ１２と、入力キー１３と、ディスプレイ１４と、ＭＤ用駆動ユニット１５と、ＭＤ用ＤＳＰ１６と、マイコン１７と、Ｄ／Ａ１８，２０と、Ａ／Ｄ１９と、出力切替ＳＷ２１とを備えて構成される。
【００１４】
ＣＤ用駆動ユニット１１は、例えば、３枚分のＣＤ２（ＣＤ２ａ〜２ｃ）を格納できるバンクメカを備えた駆動ユニットであり、バンクメカに格納した何れかのＣＤ２をターンテーブル上に搬送して、ＣＤ２に記録された楽曲データを再生する。
具体的にＣＤ用駆動ユニット１１は、図２に示すように、搬入・搬出機構１１ａと、バンクメカ１１ｂと、搬送機構１１ｃと、ターンテーブル１１ｄと、ピックアップ１１ｅとを含んで構成される。
搬入・搬出機構１１ａは、利用者が所定の挿入口から挿入したＣＤ２をバンクメカ１１ｂに搬入する。また、バンクメカ１１ｂに格納したＣＤ２を挿入口まで搬出する。
【００１５】
バンクメカ１１ｂは、例えば、３枚分のＣＤ２を格納するためのバンク（バンクｂｋ１〜ｂｋ３）を備え、搬入・搬出機構１１ａにより搬入されたＣＤ２を所定のバンクに格納する。また、バンクメカ１１ｂは、再生対象となるバンクに格納されたＣＤ２を、搬送機構１１ｃを介してターンテーブル１１ｄ上に搬送する。
搬送機構１１ｃは、バンクメカ１１ｂ内の対象のバンク（バンクｂｋ１〜ｂｋ３）からＣＤ２を取り出し、ターンテーブル１１ｄまで搬送する。また、ターンテーブル１１ｄ上に搭載されたＣＤ２を取り外し、バンクメカ１１ｂの元のバンクに搬送する。
【００１６】
ターンテーブル１１ｄは、所定の駆動モータにより駆動され、搬送機構１１ｃにより搬送されたＣＤ２を搭載したまま、所定の回転速度（例えば、線速度一定）で回転する。
ピックアップ１１ｅは、ターンテーブル１１ｄ上に搭載されたＣＤ２の記録面に所定波長のレーザ光を照射し、その反射光を読み取ることにより、ＣＤ２から楽曲データ（ＣＤ音声信号）を読み出す。
【００１７】
図１に戻って、ＣＤ用ＤＳＰ（デジタルシグナルプロセッサ）１２は、ＣＤ用駆動ユニット１１を制御することにより、ＣＤ２に記録された楽曲データを再生する。具体的に、ＣＤ用ＤＳＰ１２は、ピックアップ１１ｅにより読み出されたＣＤ音声信号のデコード処理を行い、ＣＤ２からデジタル音声信号を再生する。ＣＤ用ＤＳＰ１２は、再生したデジタル音声信号をＭＤ用ＤＳＰ１６及びＤ／Ａ１８等に供給する。
【００１８】
入力キー１３は、複数のキースイッチ等からなり、ユーザからの操作指示を入力してマイコン１７に供給する。
例えば、入力キー１３は、所定のテンキー（数字キー）を備え、利用者が挿入口からＣＤ２を挿入する際に、格納先となるバンク（バンクｂｋ１〜ｂｋ３）を選択する情報を入力する。また、入力キー１３にはＣＤ２からＭＤ３への楽曲データの録音動作を指示する「ｒｅｃキー」等も含まれている。
【００１９】
ディスプレイ１４は、蛍光表示管等からなり、記録再生装置１の動作状況を示す情報を表示する。例えば、ディスプレイ１４は、ＭＤ３に楽曲データを記録する際に、記録モード（通常記録モードや長時間記録モード等）を示す情報を表示する。
【００２０】
ＭＤ用駆動ユニット１５は、例えば、ＭＤスロットインメカ、ピックアップメカ、記録ヘッド、及びＲＦアンプ等を備える。ＭＤ用駆動ユニット１５は、ＭＤ用ＤＳＰ１６に制御され、ＭＤ３に楽曲データを記録し、また、ＭＤ３から楽曲データを再生する。
なお、ＭＤ用駆動ユニット１５は、長時間記録モード（ＭＤＬＰ）に対応したユニットであり、一例として、通常記録モード（ステレオ）、通常記録モード（モノラル）、長時間記録モード（ＬＰ２）及び、長時間記録モード（ＬＰ４）の４つの記録モードにて、楽曲データをＭＤ３に記録等することができる。
【００２１】
ＭＤ用ＤＳＰ１６は、例えば、内蔵するＤＲＡＭ（ダイナミックラム）に、ＣＤ用ＤＳＰ１２から供給されたデジタル音声信号を一時的に記憶し、このデジタル音声信号を使用してＭＤ音声信号のエンコード（ＡＴＲＡＣエンコード又は、ＡＴＲＡＣ３エンコード）処理を行う。ＭＤ用ＤＳＰ１６は、ＭＤ用駆動ユニット１５を制御して、エンコード処理により生成した楽曲データをＭＤ３に記録する。
また、ＭＤ用ＤＳＰ１６は、ＭＤ用駆動ユニット１５を制御して、ＭＤ３に記録された楽曲データを再生する。具体的に、ＭＤ用ＤＳＰ１６は、デコード（ＡＴＲＡＣデコード又は、ＡＴＲＡＣ３デコード）処理によりＭＤ３からデジタル音声信号を再生する。ＭＤ用ＤＳＰ１６は、再生したデジタル音声信号をＤ／Ａ２０等に供給する。
【００２２】
マイコン１７は、ＳＲＡＭ（スタティックラム）１７ａ等を備えた処理演算ユニットであり、記録再生装置１全体を制御する。
具体的にマイコン１７は、ＣＤ用ＤＳＰ１２を制御することにより、ＣＤ用駆動ユニット１１にて、バンクメカ１１ｂ内の各バンク（バンクｂｋ１〜ｂｋ３）に格納されたＣＤ２を再生する。また、マイコン１７は、並行してＭＤ用ＤＳＰ１６を制御することにより、ＭＤ用駆動ユニット１５にて、再生された楽曲データをＭＤ３に記録する。
【００２３】
その際、マイコン１７は、再生しようとするＣＤ２が格納されたバンク（バンクｂｋ１〜ｂｋ３）に応じて定められた記録条件に従って、ＭＤ３に楽曲データを記録する。
すなわち、ＳＲＡＭ１７ａには、図３に示すようなバンクｂｋ１〜ｂｋ３に対応して定められた記録モードを規定する記録条件テーブル１７Ｔが記憶されている。そして、マイコン１７は、この記録条件テーブル１７Ｔを参照して、再生しようとするＣＤ２が格納されたバンクに対応する記録モードを特定し、特定した記録モードにて、楽曲データをＭＤ３に記録する。
なお、ＳＲＡＭ１７ａに記憶する記録条件テーブル１７Ｔの内容は、利用者による入力キー１３の操作に従って、適宜変更可能としてもよい。
【００２４】
Ｄ／Ａ（デジタルアナログコンバータ）１８は、ＣＤ用ＤＳＰ１２から供給されたデジタル音声信号をアナログ音声信号に変換し、変換したアナログ音声信号を出力切替ＳＷ２１を介して外部機器に出力する。
【００２５】
Ａ／Ｄ（アナログデジタルコンバータ）１９は、外部機器から供給されたアナログ音声信号をデジタル音声信号に変換し、変換したデジタル音声信号をＭＤ用ＤＳＰ１６等に供給する。
【００２６】
Ｄ／Ａ２０は、ＭＤ用ＤＳＰ１６から供給されたデジタル音声信号をアナログ音声信号に変換し、変換したアナログ音声信号を出力切替ＳＷ２１を介して外部機器に出力する。
【００２７】
出力切替ＳＷ（スイッチ）２１は、マイコン１７に制御され、Ｄ／Ａ１８を介して供給されるＣＤ音声信号、又は、Ｄ／Ａ２０を介して供給されるＭＤ音声信号の何れかを選択し、図示せぬスピーカ等に向けて出力する。
【００２８】
以下、この発明の実施の形態にかかる記録再生装置１の動作について、図４を参照して説明する。図４は、マイコン１７が実行する楽曲データ記録処理を説明するためのフローチャートである。なお、この楽曲データ記録処理は、例えば、録音（記録）可能なＭＤ３が記録再生装置１に装填された状態で、再生対象となるＣＤ２が利用者により所定の挿入口から挿入された際に開始される。
【００２９】
まず、マイコン１７は、選択された格納先のバンク（ｂｋ１〜ｂｋ３）を示す情報を入力キー１３を介して取得する（ステップＳ１１）。例えば、マイコン１７は、再生対象のＣＤ２が所定の挿入口から挿入される際に、入力キー１３のテンキー（数字キー）の押下により、選択された格納先のバンクを示す情報を取得する。
【００３０】
マイコン１７は、バンクｂｋ１が選択されたか否かを判別する（ステップＳ１２）。例えば、利用者により入力キー１３にてテンキーの「１」キーが押下された場合に、マイコン１７は、バンクｂｋ１が選択されたことを判別する。
【００３１】
マイコン１７は、バンクｂｋ１が選択されたと判別した場合、ＳＲＡＭ１７ａに記憶した記録条件テーブル１７Ｔから、通常記録モード（ステレオ）を示す情報（記録モード情報）を読み出す（ステップＳ１３）。
そして、マイコン１７は、ＣＤ用ＤＳＰ１２を介して搬入・搬出機構１１ａ等を制御し、ＣＤ２をバンクメカ１１ｂのバンクｂｋ１に格納する。
【００３２】
一方、バンクｂｋ１が選択されていないと判別した場合に、マイコン１７は、バンクｂｋ２が選択されたか否かを判別する（ステップＳ１４）。例えば、利用者により入力キー１３にてテンキーの「２」キーが押下された場合に、マイコン１７は、バンクｂｋ２が選択されたことを判別する。
【００３３】
マイコン１７は、バンクｂｋ２が選択されたと判別した場合、記録条件テーブル１７Ｔから、長時間記録モード（ＬＰ２）を示す情報を読み出す（ステップＳ１５）。そして、マイコン１７は、搬入・搬出機構１１ａ等を制御して、ＣＤ２をバンクｂｋ２に格納する。
【００３４】
一方、バンクｂｋ２が選択されていないと判別した場合に、マイコン１７は、バンクｂｋ３が選択されたか否かを判別する（ステップＳ１６）。例えば、利用者により入力キー１３にてテンキーの「３」キーが押下された場合に、マイコン１７は、バンクｂｋ３が選択されたことを判別する。
【００３５】
マイコン１７は、バンクｂｋ３が選択されたと判別した場合、記録条件テーブル１７Ｔから、長時間記録モード（ＬＰ４）を示す記録モード情報を読み出す（ステップＳ１７）。そして、マイコン１７は、搬入・搬出機構１１ａ等を制御して、ＣＤ２をバンクｂｋ３に格納する。
【００３６】
一方、バンクｂｋ３が選択されていないと判別した場合に、マイコン１７は、入力エラー及び、再選択を促すメッセージを生成し、ディスプレイ１４に表示する（ステップＳ１８）。そして、マイコン１７は、上述のステップＳ１１に処理を戻す。
【００３７】
また、上述のステップＳ１３，Ｓ１５，Ｓ１７の何れかにて、バンク（バンクｂｋ１〜ｂｋ３）に対応した記録モード情報を読み出すと、マイコン１７は、入力キー１３を介して記録開始を指示する情報が入力されるまで、後続処理の実行を待機する（ステップＳ１９）。
例えば、マイコン１７は、「ｒｅｃキー」が押下された際に、記録開始を指示する情報を入力したことを判別する。
【００３８】
記録開始を指示する情報を入力すると、マイコン１７は、対象バンクのＣＤ２の再生を開始し、再生した楽曲データを記録モードに従って、ＭＤ３に記録する（ステップＳ２０）。
すなわち、マイコン１７は、バンクｂｋ１に格納されていたＣＤ２を再生する場合に、再生した楽曲データを通常記録モード（ステレオ）にてＭＤ３に記録する。また、バンクｂｋ２に格納されていたＣＤ２を再生する場合に、長時間記録モード（ＬＰ２）にて記録し、そして、バンクｂｋ３に格納されていたＣＤ２を再生する場合に、長時間記録モード（ＬＰ４）にて楽曲データをＭＤ３に記録する。
【００３９】
このように、楽曲データ記録処理によって、複雑なキー操作等を行うことなく、所望の記録条件で楽曲データを記録することができる。
そしてまた、再生対象となるバンクメカ１１ｂに格納されたＣＤ２を任意に選択するだけで、記録条件を容易に変更して楽曲データをＭＤ３に記録することができる。
【００４０】
上記の実施の形態では、ＳＲＡＭ１７ａに図３に示すような記録モードを規定する記録条件テーブル１７Ｔを記憶することにより、バンクｂｋ１〜ｂｋ３に対応する記録モードにて楽曲データを記録したが、設定する記録条件は、記録モードに限られず任意である。
例えば、ＳＲＡＭ１７ａに図５に示すような記録速度を規定する記録条件テーブルを記憶することにより、バンクｂｋ１〜ｂｋ３に対応する記録速度にて楽曲データをＭＤ３に記録してもよい。
この場合、マイコン１７は、この記録条件テーブルを参照して、再生しようとするＣＤ２が格納されたバンクに対応する記録速度を特定し、特定した記録速度にて、楽曲データをＭＤ３に記録する。
【００４１】
上記の実施の形態では、ＣＤ２の再生側であるＣＤ用駆動ユニット１１にバンクメカ１１ｂ等を設け、ＣＤ２を格納したバンクｂｋ１〜ｂｋ３に対応する記録モード等にて、ＭＤ３に楽曲データを記録したが、逆に、ＭＤ３の録音（記録）側であるＭＤ用駆動ユニット１５にバンクメカ等を設けるようにしてもよい。
【００４２】
例えば、図６（ａ）に示すように、ＣＤ用駆動ユニット１１には、バンクメカを設けずに、１枚のＣＤ２のみを再生可能とする。一方、ＭＤ用駆動ユニット１５には、図６（ｂ）に示すように、バンクメカを設け、３枚分のＭＤ３（ＭＤ３ａ〜３ｃ）を格納可能とする。つまり、ＭＤ用駆動ユニット１５に、図６（ｃ）に示すような、３枚分のＭＤ３を格納できるバンクメカ１５ｂ等を付加する。
また同様に、ＳＲＡＭ１７ａには、このバンクメカ１５ｂのバンクｂｋ１〜ｂｋ３に対応して記録モード等を規定する記録条件テーブルを記憶しておく。
そして、マイコン１７は、記録条件テーブルを参照して、記録しようとするＭＤ３が格納されたバンク（ｂｋ１〜ｂｋ３）に応じて定まる記録モード等にて、ＣＤ２から再生した楽曲データをＭＤ３に記録する。
【００４３】
すなわち、マイコン１７は、図６（ｃ）に示すように、記録しようとするＭＤ３がバンクｂｋ１に格納される場合に、通常記録モード（ステレオ）にて楽曲データをＭＤ３に記録し、また、ＭＤ３がバンクｂｋ２に格納される場合に、長時間記録モード（ＬＰ２）にて楽曲データをＭＤ３に記録し、そして、ＭＤ３がバンクｂｋ３に格納される場合に、長時間記録モード（ＬＰ４）にて楽曲データをＭＤ３に記録する。
【００４４】
この場合も、複雑なキー操作等を行うことなく、所望の記録条件で楽曲データを記録することができる。そしてまた、記録対象となるバンクメカ１５ｂに格納されたＭＤ３を任意に選択するだけで、記録条件を容易に変更して楽曲データを対象のＭＤ３に記録することができる。
【００４５】
上記の実施の形態では、ＣＤ用駆動ユニット１１及びＭＤ用駆動ユニット１５に、３枚分のＣＤ等を格納可能なバンクメカ１１ｂ等を設けた装置について説明したが、バンクメカ１１ｂ等におけるＣＤ２等の格納可能枚数は、複数枚であれば、任意である。
【００４６】
上記の実施の形態では、ＣＤ２から再生した楽曲データをＭＤ３に記録する記録再生装置１について説明したが、再生対象及び、記録対象の媒体は、これらＣＤやＭＤ等に限られず、他にＣＤ−Ｒ（CD Recordable）、ＣＤ−ＲＷ（CD ReWritable）、ＭＯ（Magneto-Optical disk）、ＤＶＤ（Digital Versatile Disk）等であってもよい。また、スマートメディア（商標）、メモリスティック（商標）、ＭＭＣ（Multi Media Card）等の媒体を編集可能な記録再生装置であってもよい。
【００４７】
【発明の効果】
以上説明したように、本発明によれば、記録条件を容易に変更して楽曲データ等を記録することができる。
【図面の簡単な説明】
【図１】本発明の実施の形態に係る記録再生装置の構成の一例を示すブロック図である。
【図２】ＣＤ用駆動ユニットの構成を詳細に説明するための模式図である。
【図３】マイコン内のＳＲＡＭに記憶される記録条件テーブルの一例を示す模式図である。
【図４】本発明の実施の形態に係る楽曲データ記録処理を説明するためのフローチャートである。
【図５】ＳＲＡＭに記憶される他の記録条件テーブルの一例を示す模式図である。
【図６】（ａ）〜（ｃ）共に、本発明の他の実施の形態に係る記録再生装置を説明するための模式図である。
【符号の説明】
１    記録再生装置
２    ＣＤ
３    ＭＤ
１１  ＣＤ用駆動ユニット
１２  ＣＤ用ＤＳＰ
１３  入力キー
１４  ディスプレイ
１５  ＭＤ用駆動ユニット
１６  ＭＤ用ＤＳＰ
１７  マイコン
１８，２０  Ｄ／Ａ
１９  Ａ／Ｄ
２１  出力切替ＳＷ
【図１】
0003875852.tif 000002
【図２】
0003875852.tif 000003
【図３】
0003875852.tif 000004
【図４】
0003875852.tif 000005
【図５】
0003875852.tif 000006
【図６】
0003875852.tif 000007